Podtech/llm-jp-corpus-v4-ja_patent huggingface dataset:
(57)【要約】      （修正有）【課題】地震などの震動感知装置を設置する場所とは離れた場所に懐中電灯などの軽量な電池式照明具を１つ以上設置し、その設置された位置が暗闇においてもすばやく見つけ出せるように、地震などの震動を感知した時に照明具の近傍で点灯する照明用ランプを配置するようにした震動感知点灯システムを提案する。【解決手段】切換スイッチ３をＡに切り替えた状態で、たとえば震度５以上で動作する震動感知装置１の接点が閉となるようにする。このとき補助リレーＸが付勢され接点Ｘが閉となり補助リレーＸが自己保持されるとともに、接点Ｘ１が閉となり併設された照明用ランプＬが全て点灯する。これにより各々の照明用ランプの近傍に配置された照明具を暗闇の中で簡単に見つけ出すことが出来る。【選択図】図１
0003113576.tif 000002
【実用新案登録請求の範囲】
【請求項１】
所定の震度以上の地震発生時に動作する震動感知装置、該震動感知により電気的接続を持続する制御ユニットおよび電気的接続が持続する間点灯し続ける１つ以上の照明用ランプから構成され、照明用ランプの近傍に懐中電灯などの照明具を設置したことを特徴とする震動感知点灯システム。
【請求項２】
中間部に接触子、下端部に錘を有しこれらをワイヤーで繋ぎ上端を固定電極にぶら下げ、固定電極部を支点として地震などの揺れにより揺動する可動体と低反発の導電性ばね材をリング状に形成したリング電極からなり、所定の震度で可動体の接触子がリング電極に接触することにより震動を感知する震動感知装置としたことを特徴とする請求項１の震動感知点灯システム。
【請求項３】
所定の震度で移動する球体の動きで作動するマイクロスイッチにより地震などの震動を感知する震動感知装置あるいは所定の震度で作動する小型加速度センサーにより地震などの震動を感知する震動感知装置としたことを特徴とする請求項１の震動感知点灯システム。
【請求項４】
発光ダイオードを照明用ランプとして適用したことを特徴とする請求項１の震動感知点灯システム。
【請求項５】
照明用ランプを震動感知装置の設置位置から離れた場所に設置することを特徴とする請求項１の震動感知点灯システム。
【請求項６】
置物などの室内装飾品や置時計などに震動感知装置あるいはおよび制御ユニットを組み込んだ形態としたことを特徴とする請求項１の震動感知点灯システム。
【考案の詳細な説明】
【技術分野】
【０００１】  本発明は地震などの振動を感知してランプを点灯できるシステムに関するものである。
【背景技術】
【０００２】  非常用の懐中電灯は、予め定めた所定位置に備えておいて、夜間就寝時に地震と停電が重なるなどの非常事態が発生したときに利用する。この際暗闇の中で非常用懐中電灯の在処を特定することは通常困難である。特開２０００−２３１８０１には地震などを検知して懐中電灯を点灯させる例が開示されている。
【考案の開示】
【考案が解決しようとする課題】
【０００３】  従来技術に示された例では地震の検知器と懐中電灯とが一体となっており、重量も重く非常時の持ち運びが不便であった。本考案は、暗闇の中ですばやく軽量な電池式照明具を見つけ出し、これを活用できる手段を提供しようとするものである。
【課題を解決するための手段】
【０００４】  地震などの震動感知装置を設置する場所とは離れた場所に懐中電灯などの軽量な電池式照明具を１つ以上設置し、その設置された位置が暗闇においてもすばやく見つけ出せるように、地震などの震動を感知した時に照明具の近傍で点灯する照明用ランプを配置するようにした震動感知点灯システムを提案する。
【考案の効果】
【０００５】  地震が発生し停電したときに暗闇の中で照明具を簡単に見つけ出すことができる。また照明具を寝室、居室あるいは廊下など複数場所に配置しておくことにより地震発生時の居場所にかかわらず安心して照明具を見出せる。
【考案を実施するための最良の形態】
【０００６】  図１は本考案の実施形態を示す電気系統図である。切換スイッチ３をＡに切り替えた状態で、たとえば震度５以上で動作する震動感知装置１の接点が閉となるようにする。このとき補助リレーＸが付勢され接点Ｘが閉となり補助リレーＸが自己保持されるとともに、接点Ｘ１が閉となり併設された照明用ランプＬが全て点灯する。これにより各々の照明用ランプの近傍に配置された照明具（図示していない）を暗闇の中で簡単に見つけ出すことが出来る。
切換スイッチ３をＢに切り替えることにより、補助リレーＸの付勢が解除され照明用ランプが消灯しリセット状態となる。
切換スイッチ３をＣに切り替えることにより、照明用ランプの球切れあるいは電池の寿命切れの点検が可能である。【０００７】  照明用ランプＬは近傍に配置される照明具の在処が分かる程度の照度があればよい。したがって豆球あるいは発光ダイオード程度で十分その機能を達成することが出来る。なお発光ダイオードを適用する場合は、直列に抵抗を接続する。【０００８】  図２および図３は震動感知装置の一実施例を示す。本震動感知装置は中間部に接触子１５、下端部に錘１６を有しこれらをワイヤー１４で繋ぎ上端を固定電極１３にぶら下げ、固定電極１３を支点として地震などの揺れにより揺動する可動体と、低反発の導電性ばね材をリング状に形成したリング電極１７からなる。図３に示すように所定の震度で可動体の接触子１５がリング電極１７に接触することにより震動感知の信号を出す。【０００９】  所定の震度で移動する球体の動きで作動するマイクロスイッチにより地震などの震動を感知するたとえばオムロン社製形Ｄ７Ｈ感震装置、あるいは所定の震度で作動する小型加速度センサーにより地震などの震動を感知するものを、上述の震動感知装置に代えることも可能である。
上述の震動感知装置あるいはおよび制御ユニットをたとえば置物などの室内装飾品や置時計などに組み込んだ形態とすることにより、屋内の美観を損なうことがなく実用性の高いものとすることが可能である。
【図面の簡単な説明】
【００１０】
【図１】本考案の実施形態を示す電気系統図
【図２】震動感知装置の例
【図３】震動感知装置の動作時の例
【符号の説明】
【００１１】１・・震動感知装置
２・・制御ユニット
３・・切換スイッチ
Ｘ・・補助リレー
Ｌ・・照明用ランプ
１２・・支持具
１３・・固定電極
１４・・ワイヤー
１５・・接触子
１６・・錘
１７・・リング電極
【図１】
0003113576.tif 000003
【図２】
0003113576.tif 000004
【図３】
0003113576.tif 000005
(57)【要約】【課題】釣り竿の長さを一定範囲内において任意の長さに、容易に固定できる釣り竿を提供する。【解決手段】釣り竿の連結される２つの竿部材において大径竿部材１０の合わせ面に合わせ面長１２の凹面１１と小径竿部材２０の外面に凹面１１に適合する伸縮範囲長２２の凸面２１を形成し、２つの竿部材において凸凹合面状態に限り伸縮動作が可能となり、一方の部材を周方向に回転操作することにより凹凸不合面状態となり２つの竿部材が摩擦固定される。この摩擦力により伸縮動作を阻止することで、容易に釣り竿の長さを固定する。【選択図】図１
0003113558.tif 000002
【実用新案登録請求の範囲】
【請求項１】
釣り竿の連結される２つの竿部材において、大径竿部材１０の合わせ面に合わせ面長１２の凹面１１を形成してあり、大径竿部材の凹面１１に適合する形状の凸面２１を小径竿部材２０の外面に伸縮範囲長２２で形成してある。前記の２つの竿部材の凹凸合面状態で伸縮動作が実行でき、２つの竿部材の一方を周方向に回転操作することで凹凸不合面状態となり、この２つの竿部材を任意の位置で容易に固定できる構造を構成してある釣り竿。
【考案の詳細な説明】
【技術分野】
【０００１】本考案は、釣り竿全体の長さを一定範囲内での任意の長さに調整し得るように構成した釣り竿に関するものである。
【背景技術】
【０００２】一般に、振出式で長さ調整式の釣り竿において、調整できる長さ単位は１つの竿部材長さであったり、釣り竿の設計段階で固定された長さ単位とされていたり、釣り竿を使用する人が考える任意の長さに調節できないのが現状である。
【考案の開示】
【考案が解決しようとする課題】
【０００３】本考案は、長さ調整式の釣り竿において、ミリメートル単位での長さ調整を容易に実行できる釣り竿を構成するものである。
【課題を解決するための手段】
【０００４】本考案は、連結される２つの竿部材において、大径竿部材１０の合わせ面に合わせ面長１２の凹面１１を形成し、大径竿部材の凹面１１に適合する形状の凸面２１を小径竿部材２０の外面に伸縮範囲長２２で形成してあって、２つの竿部材の凹凸合面状態に伸縮動作を実行し、２つの竿部材の一方を周方向に回転操作することで凹凸不合面状態として、２つの竿部材を任意の位置で容易に固定しようとするものである。また、この場合の伸縮範囲長２２は外面がテーパ角のない平行形態とされているものである。
【考案の効果】
【０００５】本考案による釣り竿は上記のような構成で、これを単数から複数構成することにより、釣り竿の長さ調整範囲を広く設定することができ、その範囲内でのミリメートル単位での釣り竿の長さ調整が、細かに実行できる効果を奏する。
また、２つの竿部材の一方を周方向にわずかな回転操作を実行することで、凹凸合面状態から凹凸不合面状態に移行するため、釣り竿の長さを固定することが容易にできる効果も大である。
【実施例１】
【０００６】図１は振出式の釣り竿の連結される２つの竿部材の縦断面図であって、１０は２つの竿部材中の大径竿部材であり、この竿部材の先端合わせ面に合わせ面長１２の凹面１１が形成させられており、２０は２つの竿部材中の小径竿部材であり大径竿部材の凹面に適合する形状の凸面２１が、この竿部材の外面に伸縮範囲長２２で形成されているものであり、この小径竿部材の伸縮範囲長２２部分は外面がテーパ角のない平行形態で形成されているものである。
図２は２つの竿部材の凹凸合面状態の周方向断面図であって、この状態時のみに２つの竿部材が伸縮動作可能となるように構成されている。図３は前記の状態から小径竿部材を周方向回転させられた凹凸不合面状態の周方向断面図であり任意の釣り竿長さで固定されている状態である。また、この凹面１１・凸面２１の隙間距離により２つの竿部材の摩擦固定力が変化するため、適切な隙間距離に設定され２つの竿部材が精確に固定されるように構成されているのである。
【実施例２】
【０００７】この実施例２では、２つの竿部材に形成される凹面・凸面以外は実施例１と何ら変わるところが無く、実施例１と共通する構成には同一の番号を附している。
図４及び図５に示すように、２つの竿部材中の大径竿部材１０の先端合わせ面に合わせ面長１２の凸面３ａが形成させられており、２つの竿部材中の小径竿部材２０の外面に伸縮範囲長２２で大径竿部材の凸面３ａに適合する形状の凹面３ｂが形成されている。この場合、凹面３ａ・凸面３ｂの形状及び構成数は無制限であるが凹凸面が適合する条件が必要とされている。また、実施例１と同様に伸縮範囲長２２部分の外面はテーパ角のない平行形態で形成されているものである。
図４は２つの竿部材の凹凸合面状態の周方向断面図であって、この状態時のみに２つの竿部材が伸縮動作可能となり、図５は前記の状態から小径竿部材を周方向回転させられた凹凸不合面状態の周方向断面図であり任意の釣り竿長さで固定されている状態である。また、この凹面・凸面の隙間距離により２つの竿部材の摩擦固定力が変化するのも実施例１と同様で、適切な隙間距離に設定され２つの竿部材が精確に固定されるように構成されているのである
【産業上の利用可能性】
【０００８】本考案は、釣り竿を使用する人が釣り竿全体の長さを任意の長さに容易に固定し得るように構成した釣り竿に関するものである。
【図面の簡単な説明】
【０００９】
【図１】実施例１の釣り竿の連結される２つの竿部材の縦断面図
【図２】実施例１の２つの竿部材の凹凸合面状態の周方向断面図
【図３】実施例１の２つの竿部材の凹凸不合面状態の周方向断面図
【図４】実施例２の２つの竿部材の凹凸合面状態の周方向断面図
【図５】実施例２の２つの竿部材の凹凸不合面状態の周方向断面図
【符号の説明】
【００１０】１０  大径竿部材
１１  凹面
１２  合わせ面長
２０  小径竿部材
２１  凸面
２２  伸縮範囲長
３ａ  凸面
３ｂ  凹面
【図１】
0003113558.tif 000003
【図２】
0003113558.tif 000004
【図３】
0003113558.tif 000005
【図４】
0003113558.tif 000006
【図５】
0003113558.tif 000007
【手続補正書】
【提出日】平成17年5月30日(2005.5.30)
【手続補正１】
【補正対象書類名】実用新案登録請求の範囲
【補正対象項目名】全文
【補正方法】変更
【補正の内容】
【実用新案登録請求の範囲】
【請求項１】
釣り竿の連結される２つの竿部材において、大径竿部材１０の合わせ面に合わせ面長１２の凹面１１を形成してあり、大径竿部材の凹面１１に適合する形状の凸面２１を小径竿部材２０の外面に伸縮範囲長２２で形成してあるもので、前記の２つの竿部材の凹凸合面状態で伸縮動作が実行でき、２つの竿部材の一方を周方向に回転操作することで凹凸不合面状態となり、この２つの竿部材を任意の位置で容易に固定できる構造を構成してある釣り竿。
(57)【要約】【課題】自分で手や足を動かすことが出来なくなった人のひじやひざは時間とともに自然と曲がり変形していき、曲がったまま固まってしまいます。動かすと本人は痛い思いをします。それを防ごうというものです。【解決手段】反動性のある芯を入れることによって、はめ易く曲がっていくひじやひざを２４時間伸ばしつづけてくれる。変形防止に役立つ。【選択図】図２
0003113560.tif 000002
【実用新案登録請求の範囲】
【請求項１】
事故や病気で手や足が動かなくなった場合に、時間と共に自然にひじやひざが変形していきます。一度曲がって固まってしまうと伸ばすたびに本人は「痛い」のです。そのようにならないためにこのカバーを使います。
ひじまたはひざ全体を覆うことにより動かなくなったひじ、ひざの自然変形を止めることができる。
反動性（適当な硬さを持った、曲げても，もとに戻ろうとする力がつよいもの＝以下反動性と呼ぶ）のある芯により、曲がらないように保つ働きをする。
棒状の芯を並べることにより腕や足の形にそってカバーできる。
両面テープで固定する形なので着脱が容易である。
大きさによってひじ用，ひざ用とした。
【考案の詳細な説明】
【技術分野】
【０００１】本考案は布カバーに反動性のある比較的硬い芯のあるものを接着した病人用ひじ、ひざのカバーに関する物である。
【背景技術】
【０００２】病気などにより自分では手や足を動かせなくなった人のひじやひざが、時間とともに自然に曲がって固まっていきます。
【考案の開示】
【考案が解決しようとする課題】
【０００３】動けないひじやひざが時間と共に自然に変形してしまうことを止めようとするものです。
【課題を解決するための手段】
【０００４】芯の材質を反動性のあるものを使用すること。
丸い棒状の芯を並べたので、ひじ、ひざにフィットする。
上下に両面テープで固定する形にしたので安定して着脱しやすく、使いやすい形になる。
【考案の効果】
【０００５】反動性のある芯が、自然変形に常に対抗するので、曲がろうとするひじ、ひざを常にもとにもどす作用を１日中してくれる。固まりを遅らせてくれることを期待しています。
【考案を実施するための最良の形態】
【０００６】動けない病人に対して介護のものが着けたり，外したりしやすい形であること。
【産業上の利用可能性】
【０００７】病院、老人ホームまたは家庭で手や足が動けなくなった人に、介護者や、医療関係者が利用する。
【図面の簡単な説明】
【０００８】
【図１】本考案の芯の部分
【図２】断面図（一部）
【図３】平面図（全体図）
【図４】つけたときの状態，付け方
【符号の説明】
【０００９】１  芯（反動性のある少し硬めのもの）
２  本体部分（肌触りの良い布を触れる部分に使用する）
３  ベルト部分（両面テープの場合のやわらかい面）
４  ベルト止め部分（両面テープの場合の荒い面）
【図１】
0003113560.tif 000003
【図２】
0003113560.tif 000004
【図３】
0003113560.tif 000005
【図４】
0003113560.tif 000006
【手続補正書】
【提出日】平成17年5月26日(2005.5.26)
【手続補正１】
【補正対象書類名】実用新案登録請求の範囲
【補正対象項目名】全文
【補正方法】変更
【補正の内容】
【実用新案登録請求の範囲】
【請求項１】
平らな綿製の腕カバーに反動性のある少し細い円柱状の棒芯を並べて構成され、簡易テープで上と下を固定することを特徴とする、反動性とは、曲げてもすぐもとに戻ろうとする力の強いもの、以下反動性と呼ぶ、ひじ、ひざ変形防止カバー。
【手続補正２】
【補正対象書類名】明細書
【補正対象項目名】全文
【補正方法】変更
【補正の内容】
【考案の詳細な説明】
【技術分野】
【０００１】本考案は平面の綿カバー２枚の間に反動性のある比較的硬い円柱状の芯を並べて、上と下の２ヵ所を簡易テープで腕に固定し、自分では腕を動かすことの出来ない人のひじやひじの自然変形を止めようとするカバーに関する物である、芯の材質はペットやプラスチックなどで用意する、このカバーをつける事でひじやひざの変形を防止しようとするものです。
【背景技術】
【０００２】削除
【考案の開示】
【考案が解決しようとする課題】
【０００３】着脱がよういであること。本人の負担を少しでも軽くするように曲がることもできる芯であること。
【課題を解決するための手段】
【０００４】芯の材質を反動性のあるものを使用すること。
丸い棒状の芯を並べたので、ひじ、ひざの形にそってフィットする。
上下を簡易テープで固定する形にしたので安定し着脱しやすい。
【考案の効果】
【０００５】自分で動かせないひじ、ひざが時間とともに変形していくのを反動性のある芯が、変形に常に対抗するので、曲がったひじ、ひざを常にもとにもどす作用を１日中してくれる。
【考案を実施するための最良の形態】
【０００６】動けない病人に対して介護者が着けたり，外したりしやすい形であること。
【産業上の利用可能性】
【０００７】病院、老人ホームまたは家庭で手や足が動けなくなった人に、家族、介護者、医療関係者が利用する。
【図面の簡単な説明】
【０００８】
【図１】  つけたときの全体図
【図２】  芯を並べたときの断面図
【図３】  芯の断面図
【図４】  芯の平面図
【図５】  全体の平面図
【符号の説明】
【０００９】  １  円柱の形の芯
２  本体部分
３  ベルト部分（簡易テープのやわらかい面）
４  ベルト止め部分（簡易テープの荒い面）
【手続補正３】
【補正対象書類名】図面
【補正対象項目名】全図
【補正方法】変更
【補正の内容】
【図１】
0003113560.tif 000007
【図２】
0003113560.tif 000008
【図３】
0003113560.tif 000009
【図４】
0003113560.tif 000010
【図５】
0003113560.tif 000011
(57)【要約】〔目的〕  簡単に厚焼きが出来るように、枠板を設け、さらに上下に分解出来るように磁石鉄板を取り付け、速く裏返し出来るように構成した、均一のとれた玉子に焼き上がるような料理器具を提供する。〔構成〕  枠板２の中にしきり板３を取り外しの出来るように、切り溝口を枠板２としきり板３に加工する。そのしきり板３を取り付けた枠板２の上下に取り外しの出来る磁石鉄板１を設け、磁石鉄板１の両端にピン止め具６と半円金具５で構成された磁石鉄板１を裏返すことの出来る鉄板金具４を装着することを特徴とする。【選択図】  図１
0003113555.tif 000002
【実用新案登録請求の範囲】
【請求項１】
枠板２にしきり板（３）を設けて、自由に里の大きさを変えることの出来る枠板（２）の上に自由に取り外しの出来る穴のあいた磁石鉄板（１）を上と下に取り付けた玉子厚焼器。
【考案の詳細な説明】
【考案の詳細な説明】
【０００１】〔産業上の利用分野〕
この考案は、枠板の大きさが自由になることと、自由に取り外しの出来る、フライパンと兼用した料理に関するものである。
【０００２】〔従来の技術〕
従来、鉄板のような玉子焼具はあった。
【０００３】〔考案が解決しようとする問題〕
これは、次のような欠点があった。
（イ）鉄板の上で焼くので、玉子をひっくり返しながら、厚焼きにするのが、大変難しかった。
（ロ）玉子を、返し遅れて、焼き過ぎる場合があった。
本考案は、これらの欠点を除くために、なされたものである。
【０００４】〔問題を解決するための手段〕
底のない、枠板（２）の中に、しきり板（３）を設け、枠板（２）の上と下に、小さい穴を多数あけた、磁石鉄板（１）を自由に取り外しの出来るようにする。
簡単に裏返し出来るように、半円金具５を磁石鉄板（１）の両端に取り付け、鉄板返し具（４）で裏返しの作業をする。
本考案は、以上のような構成よりなる玉子厚焼器である。
【０００５】〔作用〕
フライパンの上に油を注ぎ、そのフライパンの上に、磁石鉄板（１）を置き、その上に、枠板（２）を置く。
磁石鉄板（１）が出来ているため、フライパンや、枠板（２）が、固定出来る。
その枠板（２）の中に玉子を入れ、また、野菜や、焼き鳥、焼き魚の切り身、肉などを、玉子の中に入れることも出来る。
その枠板（２）の上に、磁石鉄板（１）を取り付ける。
自由に、鉄板返し具（４）で裏返し出来る。
【０００６】〔実施例〕
以下、本来の実施例について説明する。
（イ）枠板（２）に切り溝口を付けて、量を自由に選択出来るように、しきり板（３）を設ける。
（ロ）枠板（２）の上下に、自由に取り外しが出来、また、枠板（２）に固定することが出来る磁石鉄板（１）を設ける。
（ハ）枠板（２）と、磁石鉄板（１）を裏返したりするために、金具ピン止め（６）を、使用して、半円金具（５）を、磁石鉄板（１）の両端に装着する。
（ニ）半円金具（５）に取り外しの出来る鉄板返し具（４）を使用して、裏返しにしたり、焼き上がった料理を、皿の上に移動するための鉄板返し具（４）を装着する。
【０００７】〔考案の効果〕
本考案は、以上のような構成で、裏返しも簡単に出来、また、しきり板もあるため、厚焼き玉子の中に、焼き魚を入れ、野菜、肉なども入れることが出来る。玉子が焼き上がった後も簡単に、底なし枠板なので、取り外しが出来る。
上下に磁石鉄板を使用するので、外に玉子がもれることがない。
【図面の簡単な説明】〔図１〕本考案の分解斜視図である。
〔図２〕本考案の一部を切り欠いた図面である。
〔図３〕本考案の実施例を示す斜視図である。
【符号の説明】
１  磁石鉄板        ２  枠板        ３  しきり板
４  鉄板返し具      ５  半円金具    ６  金具ピン止め
【図１】
0003113555.tif 000003
【図２】
0003113555.tif 000004
【図３】
0003113555.tif 000005
(57)【要約】      （修正有）【課題】お墓に常に整った花をお供えする。【解決手段】花をお供えする花入れの背後に、石で造られた石造花を設置する。材質が半永久的といわれている石であるため、現在はもとより先まで常に花のあるお墓の景観を保つことができる。そのため心の安心感まで得られる。【選択図】図１
0003113553.tif 000002
【実用新案登録請求の範囲】
【請求項１】
半永久的と言われる石材や石で活け込み花を造り石造花とする。
【請求項２】
請求項１の石造花と筒入れ花立を石で造り一体化させている。
【考案の詳細な説明】
【技術分野】
【０００１】    本考案は、お墓にお供えするお花に関する。
【背景技術】
【０００２】    従来、お墓参りしてお墓にお供えした花はいつまでも整った形をした花であって欲しいとの思いをよそに、幾日かすると枯れたり、色あせてしまう。
【考案の開示】
【考案が解決しようとする課題】
【０００３】    しかし、いつまでも整った花であって欲しいとの願いを解決するには、毎日お墓に参り、水をかえたり、花をかえることであるが、ほとんどの人が毎日お墓参りをすることは不可能に近いと思われる。
【課題を解決するための手段】
【０００４】    そこで、半永久的と言われる石材で花を造り石造花とし花立と一体化し、お墓に設置し課題の解決を求めた。
【考案の効果】
【０００５】    よって本案の花立付き石造花によりお墓の花が枯れても、背後の石造花がその役割を果たすことになる。花立に生花がなくても、この石造花のみでも花のある景観を損なわないことも忘れてはならない。
【考案を実施するための最良の形態】
【０００６】    本考案の花筒付き石造花は、石で一体化しており花立ては前、石造花は後、そして石造花は生花より大きく、その効果を果たすための配慮がなされている。お墓の大きさにより、石造花の大きさ、本数を決定するとよい。花立はステンレスの花筒を使用し、取り外しができ、洗いやすく清潔である。また石造花の材質が、墓石と同質であるため一体感があり、落ち着いた感じを受ける形態でもある。
【図面の簡単な説明】
【０００７】
【図１】    本考案に係る花立付き石造花の立体図である。
【図２】    本考案に係る花立付き石造花の正面図である。
【図３】    本考案に係る花立付き石造花の上面図である。
【図４】    本考案に係る花立付き石造花の右側面図である。
【図５】    本考案に係る花立付き石造花を墓に設置し、墓に正面からの図である。
【０００８】    Ｆ１  石材で造られた石造花。
Ｆ２  生花あるいは石以外の造花。
１  花立付き五造花台
２  取り外しの出来るステンレスの花筒
３  家紋
【図１】
0003113553.tif 000003
【図２】
0003113553.tif 000004
【図３】
0003113553.tif 000005
【図４】
0003113553.tif 000006
【図５】
0003113553.tif 000007
【手続補正書】
【提出日】平成17年5月13日(2005.5.13)
【手続補正１】
【補正対象書類名】実用新案登録請求の範囲
【補正対象項目名】全文
【補正方法】変更
【補正の内容】
【実用新案登録請求の範囲】
【請求項１】
半永久的と言われる石材や石で作られた石造花。
【請求項２】
請求項１記載の石造花を備えてなる筒入れ花立。
(57)【要約】      （修正有）【課題】車検切れの車を使用することと擬装ナンバープレートを取り付ける事を防止する。【解決手段】外形を長方形に上下２分割にし、車の後方ガラスに容易に張れるように、片面接着材のシールで構成し、常に外部から容易に確認出来ることにより車検切れ盗難車を使用することを防止する。【選択図】図１
0003113556.tif 000002
【実用新案登録請求の範囲】
【請求項１】
車検ステッカーの数字（年、月）の下に車のナンバーの数字を記入することを特徴とするナンバー記入式車検ステッカーとする。
【考案の詳細な説明】
【技術分野】
【０００１】本考案は車の後方ガラスに張ることにより外部から見やすく、常に車検の有効期間が確認出き、現車のナンバープレートと同じか確認出来る。
〔背景技術〕【０００２】車検ステッカーに車検の有効期間の数字とナンバープレートとの数字を記入する。
〔考案の開示〕
〔考案が解決しようとする課題〕【０００３】車検の有効期間が切れている車を使用することと擬装ナンバープレートを付けることを防止するものです。
〔課題が解決するための手段〕【０００４】外部から一目で確認出来る。
〔考案の効果〕【０００５】車検の有効期間切れの事故、又盗難防止により被害者が少なくなる。
〔考案の実施するための最良の形能〕【０００６】外形を長方形に上下２分割にする
〔実施例〕【０００７】車の後方ガラスに容易に張れる
【図面の簡単な説明】
【０００８】〔図１〕片面接着剤のついたシール
【符号の説明】
【０００９】１．表面接着剤のついた台紙
２．車検の有効期間の色を着色する
３．車検の有効期間の年、月
４．ナンバープレートと同色
５．ナンバープレートとの数字
【図１】
0003113556.tif 000003
【手続補正書】
【提出日】平成17年5月24日(2005.5.24)
【手続補正１】
【補正対象書類名】実用新案登録請求の範囲
【補正対象項目名】全文
【補正方法】変更
【補正の内容】
〔書類名〕実用新案登録請求の範囲
〔請求項１〕
車検ステッカーの数字（年，月）の下に車のナンバーの数字を記入したことを特徴とするナンバー記入式車検ステッカー。
(57)【要約】      （修正有）【課題】磁気カードのデータを外部から磁気信号、又は地磁気等で阻害され、あるいは磁気カードデータを外部に読み取られ悪用されることを防止する。【解決手段】磁気カードの磁性面をパーマロイ鋼板厚み０．５ミリで磁気カードの磁性面を両面から挟み遮断する事で外部からの微弱な磁力線、磁気信号、は吸収され、磁気カードデータは防護され、又磁気カードの機械的損傷をも無くする。【選択図】図１
0003113552.tif 000002
【実用新案登録請求の範囲】
【請求項１】
磁気カード防護収納ホルダー革製又はレザー張りの外装（１，５）内側にパーマロイ鋼板（２、６）を付着し、パーマロイ鋼板厚み０．５ミリ（２、６）に（３，７）カバーを施し、その間に（４）磁気カードを収納する装置。
【請求項２】
請求項１記載の装置を財布内に使用した全ての財布を含む
【請求項３】
請求項１記載の装置をバック内部に使用した全てのショルダーバックを含む。
【考案の詳細な説明】
【考案の詳細な説明】
【産業上の利用分野】
【０００１】  本発明は、磁気カードを外部からの磁気信号、磁界そして地磁気から防護して磁気カード内部のデータを阻害されないように考案したものである。
【背景技術】
【０００２】  従来は磁気カードホルダーの側面に磁気信号を遮蔽するような材質の物が装着されていなかった為、重要なデータが阻害され、また外部に読み取られた。
【発明が解決しようとしている課題】
【０００３】  従来の技術は磁気カードのデータを外部から阻害され、あるいは磁気カードデータを外部に読み取り悪用されていた、磁気カードの磁性面を外部からの微弱な磁気信号、磁界そして地磁気を遮断し、磁気カードデータを防護する。
【課題を解決するための手段】
【０００４】  上記目的を達成するために、本考案における磁気カードの磁性面をパーマロイ鋼材の鋼板０．５ミリを対向させ、磁気カードホルダー内面に付着し、磁気カードを挟み込むことにより外部からの微弱な磁気信号、地磁気等の妨害信号を排除し機械的損傷をも与えない事を目的とする。
【作用】
【０００５】  磁気カードの磁性面をパーマロイ鋼材の鋼板厚み０．５ミリで挟むことにより外部からの微弱な磁気信号をこのパーマロイ鋼材が吸収して、磁気カード内部のデータを阻害され、外部にも読み取られる危険性は皆無で、又機械的に磁気カードが損傷される事とも免れる。
【実施例】
【０００６】  磁気カード収納ホルダー皮製、又はレザー張りで、９５Ｘ６５ミリの内側面に対向して磁気カードの略四方３ミリ大きく切断したパーマロイ鋼板９６Ｘ６０ミリ厚み０．５ミリを付着し、その上に植毛をするか、薄い皮製品又はビニール製品でカバーする。磁気カード収納ホルダーの外装の周囲端は磁気カードの出入り口を除いて糸、又は接着剤にて処理する。
【発明の効果】
【０００７】  本発明は、以上説明したように構成されているので、以下に記載されるような効果を奏する。
本発明の磁気カードのデータを外部からの阻害、又外部へ取り出されないようにパーマロイ鋼板厚み０．５ミリを磁気カードの磁性面近傍に装着する事で効果を奏する。
【図面の簡単な説明】
【図１】磁気カード防護収納ホルダーの斜視図である。
【符号の説明】
１，５  磁気カード防護収納ホルダー革製外皮
２，６  パーマロイ鋼板厚み０．５ミリ
７，３  パーマロイ鋼板のカバー
４、    磁気カード
８、    磁気カード収納ホルダー外装の周囲端縫い糸
【図１】
0003113552.tif 000003
【手続補正書】
【提出日】平成17年5月18日(2005.5.18)
【手続補正１】
【補正対象書類名】実用新案登録請求の範囲
【補正対象項目名】請求項２
【補正方法】変更
【補正の内容】
【請求項２】
財布の内側にある磁気カードを収納する部位に、磁気カードを２枚のパーマロイ鋼板で挟み込む状態に装着したことを特徴とする財布である。
【手続補正２】
【補正対象書類名】実用新案登録請求の範囲
【補正対象項目名】請求項３
【補正方法】変更
【補正の内容】
【請求項３】
バッグの内側にある磁気カードを収納する部位に、磁気カードを２枚のパーマロイ鋼板で挟み込む状態に装着したことを特徴とするバックである。
(57)【要約】      （修正有）【課題】軟質のシート状の材料を使用し、衝撃による錠剤等固形物の割れ・欠けを防ぐ緩衝シュートの提供。【解決手段】容器４の上に設置される蓋３と、緩衝シュート１を保持するホルダー２とを備えた緩衝シュート１とする。【選択図】図４
0003113554.tif 000002
【実用新案登録請求の範囲】
【請求項１】
軟質のシート状の材料を使用し、直方体の側面四辺が平板のシートでできた筐体内部に、傾斜板を取り付けた一体型構造の緩衝シュート。その中を上から下に通過する錠剤等固形物の割れ・欠けを防ぐ。また軽量で、洗浄が容易であり、形状の自由度が高いという特徴がある。
【考案の詳細な説明】
【技術分野】
【００１】  本考案は錠剤等固形物の容器充填工程や搬送工程において、錠剤等固形物の割れ・欠け対策のために使用する緩衝シュートに関する。
【背景技術】
【００２】  従来の緩衝シュートは、主に錠剤等固形物を容器へ充填する工程で使用されていて、錠剤等固形物の割れ・欠け対策のために、総じて構造に複雑な工夫が施されていた。
【考案の開示】
【考案が解決しようとする課題】
【００３】  反面、部品点数が多く、洗浄性や重量面で制約があった。また錠剤等固形物の割れ・欠けにおいても、十分な対策が施されているとは言えなかった。
【課題を解決するための手段】
【００４】  そこで、材質を全て軟質のシート状の材料にした一体型構造の緩衝シュートを考案した（図１）。この緩衝シュートは軽量で洗浄が容易で作業性が良い。緩衝シュート自体が軟質のシート状の材料でできているため、錠剤等固形物が緩衝シュート内部を通過する時に衝突による衝撃が緩和される。また傾斜板５を取り付けることにより、落下速度を緩くして錠剤等固形物どうしの接触による衝撃も緩和している。
【考案の効果】
【００５】  本考案の緩衝シュートにより、錠剤等固形物を容器に充填するときに、割れ・欠けの発生を防ぐことができる。また、緩衝シュートは容易に取り外したり、洗浄したりできるので、作業の効率化が図れる（図２）。
【考案を実施するための最良の形態】
【００６】  本考案に係る緩衝シュート１は、図３に示すように、緩衝シュート１を保持するホルダー２と、ホルダー２を固定する蓋３で構成される。この蓋３が容器４の上に設置される。緩衝シュート１の大きさは容器４の直径と深さに応じて決めればよい。素材は緩衝シュート１は軟質のシート状の材料で、ホルダー２と蓋３は透明で硬質の樹脂製が望ましい。また、緩衝シュート１は内部に傾斜板５を緩衝シュート１の長さと傾斜角度に合わせて、いくつか取り付けられている。また錠剤等固形物の通過時に接触する部分以外は開口部６として、側面のシートが切断されている。これにより錠剤等固形物の容器内での拡散と、緩衝シュート１自体の軽量化が図られている。
【図面の簡単な説明】
【００７】
【図１】本考案に係る緩衝シュートである。
【図２】本考案に係る緩衝シュートの構成図である。
【図３】本考案に係る緩衝シュートを、容器に取り付けた状態の平面図である。
【図４】本考案に係る緩衝シュートを、容器に取り付けた状態の断面図である。
【図５】本考案に係る緩衝シュートに錠剤等固形物が充填され、拡散していく様子を表した図である。
【符号の説明】
【００８】１    緩衝シュート
２    ホルダー
３    蓋
４    容器
５    傾斜板
６    開口部
７    供給シュート
８    錠剤等固形物
【図１】
0003113554.tif 000003
【図２】
0003113554.tif 000004
【図３】
0003113554.tif 000005
【図４】
0003113554.tif 000006
【図５】
0003113554.tif 000007
【手続補正書】
【提出日】平成17年5月18日(2005.5.18)
【手続補正１】
【補正対象書類名】明細書
【補正対象項目名】００６
【補正方法】変更
【補正の内容】
【００６】  本考案に係る緩衝シュート１は、図３に示すように、緩衝シュート１を保持するホルダー２と、ホルダー２を固定する蓋３で構成される。この蓋３が容器４の上に設置される。緩衝シュート１の大きさは容器４の直径と深さに応じて決めればよい。素材は緩衝シュート１は軟質のシート状の材料で、ホルダー２と蓋３は透明で硬質の樹脂製が望ましい。また、緩衝シュート１は内部に傾斜板５を緩衝シュート１の長さと傾斜角度に合わせて、いくつか取り付けられている。また錠剤等固形物の通過時に接触する部分以外は開口部６として、側面のシートが切断されている。これにより錠剤等固形物の容器内での拡散と、緩衝シュート１自体の軽量化が図られている。錠剤等固形物は図４の緩衝シュート１矢印Ａから入り、傾斜板５にそって矢印Ｂから容器４の底部に貯留し、貯留量が多くなると図５のように開口部６から四方に拡散します。
【手続補正２】
【補正対象書類名】図面
【補正対象項目名】図１
【補正方法】変更
【補正の内容】
【図１】
0003113554.tif 000008
【手続補正３】
【補正対象書類名】図面
【補正対象項目名】図４
【補正方法】変更
【補正の内容】
【図４】
0003113554.tif 000009
【手続補正４】
【補正対象書類名】図面
【補正対象項目名】図５
【補正方法】変更
【補正の内容】
【図５】
0003113554.tif 000010
【手続補正書】
【提出日】平成17年5月18日(2005.5.18)
【手続補正１】
【補正対象書類名】実用新案登録請求の範囲
【補正対象項目名】全文
【補正方法】変更
【補正の内容】
【実用新案登録請求の範囲】
【請求項１】
直方体の側面四辺が平板のシートで一体的に形成された筐体の内部に、傾斜板を前記筐体に一体的に取り付け、前記筐体の側面に開口部を形成し、前記側面四辺を構成するシート及び前記傾斜板は、軟質のシート状の材料からなる一体型構造の緩衝シュート。
(57)【要約】      （修正有）【課題】ボタンに凹凸を持たせ、携帯電話の操作を簡単に見やすくし折りたたみ式の携帯電話でも開閉可能になる事を提供する。【解決手段】上下左右の長さが異なる十字に並んだ５個のコントロールキーを搭載させたことを特徴とする脱着可能で透明なマジックテープ付携帯電話用ストラップ。【選択図】図１
0003113557.tif 000002
【実用新案登録請求の範囲】
【請求項１】
コントロールキーを搭載させたことを特徴とする脱着可能で透明なマジックテープ付携帯電話用ストラップ
コントロールキーが、携帯電話のボタンに被るようにベルトの要領で巻きつけマジックテープで固定する事ができるストラップです。
透明なストラップな為、ストラップが携帯電話のボタンに被るようにマジックテープで巻きつけた状態でも携帯電話のキーの位置確認・操作ができる事が特徴です。
前記のコントロールキーは５個のパーツが十字に配列し構成されております。
十字に並んだ５個のコントロールキーを携帯電話のカーソルキーや数字キーに合わせて巻きつけることで簡単に携帯電話の操作ができる事が特徴です。
十字の左右上下のキーは中央に行くにつれて細く中央のボタンを押さないような配慮をしてあります。
また、左右は上下より長くすることにより数字キー４，６をより押しやすくしてあります。
【考案の詳細な説明】
【技術分野】
【０００１】この考案は、携帯電話のストラップに用いる形状と使用方法に関する。
【技術背景】
【０００２】携帯電話のキーのほとんどが平面なため押しにくい。
【考案の開示】
【考案が解決しようとする課題】
【０００３】携帯電話のボタンが平面な為、目が悪い方には見えずらく、ボタンも押しにくい。
ボタンに、突起物を付ければ見やすいく操作はし易くなるが折りたたみ式の携帯電話は閉じなくなる。
そこで、この考案はボタンに凹凸を持たせ、携帯電話の操作を簡単に見やすくし折りたたみ式の携帯電話でも開閉可能になる事を提供することを課題とする。
【課題を解決する為の手段】
【０００４】以上の課題を解決させるため第一の考案は、携帯電話は、各社キー配列が似ている為ストラップに十字キーを取り付け操作することができる。
第二の考案は、透明なストラップを使用する事により十字キー以外のキーの確認操作が可能。
第三の考案は、マジックテープでベルトのように巻きつけられるため携帯電話のキー操作時に固定をすることができる。携帯電話の操作キーは勿論携帯電話の上蓋や数字キーと大半の場所に巻きつけられます。
【考案の効果】
【０００５】十字キーで、携帯電話のボタンが押しやすくなりました。
脱着可能な為、外した状態での携帯電話の開閉も可能です。
そして、ベルトやカバン等に巻きつけられるため持ち運びも便利である。
【考案するのに最良の形態】
【０００６】この考案は一実施形態を図３で表す。
このストラップは透明なビニール製であり、携帯電話に、ストラップを巻きつける。
独立した十字に並んだボタンである。
【実施形態の効果】
【０００７】（図３）の状態で携帯電話にベルトのように巻きつけた場合、携帯電話での押しにくいボタンも簡単に見分けて容易に押すことができます。
尚、ゲーム等で使用する斜め入力も容易に入力可能です。
さらに、（図４）の数字キーや上蓋にも巻きつけられる為、特殊な形状の携帯電話でも使用可能です。
【他の実施形態】
【０００８】普段持ちある時は、携帯電話のストラップとしてご利用できます。
また、このストラップはマジックテープで脱着可能な為、（図１）の実用形態でカバンやベルトに巻きつけることが可能です。
（図１）の実用形態の十字キーを内側にして使用した場合、十字キーの磨耗を減らせます。
【図面の簡単な説明】
【０００９】
【図１】この考案の一実態を示した斜視図である。
【図２】考案の展開図である。
【図３】携帯電話に巻いた時の斜視図の一例
【図４】携帯電話の数字ボタンに巻いた時の斜視図の一例
【符号の説明】
【００１０】ａは、透明なベルト  ｂは、ボタン  ｃは、マジックテープ  ｄは、携帯電話とストラップとを結ぶヒモ  ｅは、携帯電話
【図１】
0003113557.tif 000003
【図２】
0003113557.tif 000004
【図３】
0003113557.tif 000005
【図４】
0003113557.tif 000006
【手続補正書】
【提出日】平成17年5月18日(2005.5.18)
【手続補正１】
【補正対象書類名】実用新案登録請求の範囲
【補正対象項目名】全文
【補正方法】変更
【補正の内容】
【実用新案登録請求の範囲】
【請求項１】
上下左右の長さが異なる十字に並んだ５個のコントロールキーを搭載させたことを特徴とする脱着可能で透明なマジックテープ付携帯電話用ストラップ。
(57)【要約】【課題】  従来からある棚受用アングルは、棚面より下からでないと壁等にアングルを留めることができない。【解決手段】  棚受用アングルで、棚面より下が空間の場合でも棚面より上でアングルを留めることができるように、従来からある棚受用アングルを逆にし、正Ｌ字状の棚受用アングルを作る。【選択図】図２
0003113594.tif 000002
【実用新案登録請求の範囲】
【請求項１】
正Ｌ字形の棚受用アングルで棚受部より上で壁等に設置でき、上から支える棚受用アングル
【考案の詳細な説明】
【技術分野】
【０００１】  本考案は、本棚や物置棚受アングルに関わるもので、詳しくは棚板等棚になる部分の受アングルに関するものである。
【背景技術】
【０００２】  従来棚受用アングルとしては、逆Ｌ字形つまり図１に示すアングルしかなかった。棚を設置したい場所によっては、図１の棚受アングルでは、設置できない場合が往々にあった。
【考案の開示】
【考案が解決しようとする課題】
【０００３】  従来の技術で述べた図１に示す棚受アングルでは、棚板等を載せる面より下に支柱や壁など棚受アングルを留める物体がなければアングルを設置できない。【０００４】  本考案は、上記した点に鑑みなされたもので、その目的とするところは従来の棚受アングルでは、棚板面より下が空間の場所では、アングルを設置できなかったのを、棚板面より上でアングルを留めることにより設置できるようにした棚受アングル。
【課題を解決するための手段】
【０００５】  上記目的を達成するため本考案における。棚受用アングルは図２に示すような正Ｌ字形のアングルでありアングルを留める場合アングルの垂直部分にくぎ等を使用して留める。【０００６】  上記アングルの棚板等を載せる面は平面とし、裏面は強度を保つため図２のような三角形とする。
【考案の効果】
【０００７】  図１の形では棚を設置できないような場所にも形が逆形なので垂直部を留めることにより設置できるので、広く空間が利用できるようになり、整理整頓がしやすくなる。
【考案を実施するための最良の形態】
【０００８】  本考案アングルは垂直部にアングルを留めるよう穴をあけておく。
【実施例】
【０００９】  従来ある棚受用アングルと全く逆の正Ｌ字形と考えて差し支えないが、強度を得るため図２の形にした。
【産業上の利用可能性】
【００１０】  従来使用できなかった空間に棚を作ることにより室内の整理整頓ができる。
【図面の簡単な説明】
【００１１】
【図１】  従来からある棚受用アングル
【図２】  本考案の図
【符号の説明】
【００１２】１、アングル本体
２、棚板等をのせる面
３、アングルを壁等に留める留め金用穴
【図１】
0003113594.tif 000003
【図２】
0003113594.tif 000004
(57)【要約】【課題】簡単に輸送、取り付け、解体することができる骨組みの連結構造を提供すること。【解決手段】鉄柱及び左右上方の梁部材（Ａ１），（Ａ２）と、左右下方の梁部材（Ｂ１），（Ｂ２）と、前記左右上下の梁部材を相互に接続するＶ字形の補強部材（Ｓ）とからなる相互に隣接する梁部材を、それぞれの長手方向の端部において連結する、上方部材（１２）と、下方部材（１４）と、前記上方部材（１２）の下面から下方に突出する台座（１６）と、前記下方部材（１４）の上面から上方に突出する台座（１８）と、一対の左右上下の台座（１６，１８）を相互に接続してＶ字状を形成するようにした補強部材（２０）とから成る。【選択図】    図１
0003113596.tif 000002
【実用新案登録請求の範囲】
【請求項１】
鉄柱及び左右上方の梁部材（Ａ１），（Ａ２）と、左右下方の梁部材（Ｂ１），（Ｂ２）と、前記左右上下の梁部材を相互に接続するＶ字形の補強部材（Ｓ）とからなる相互に隣接する梁部材を、それぞれの長手方向の端部において連結する、上方部材（１２）と、下方部材（１４）と、前記上方部材（１２）の下面から下方に突出する台座（１６）と、前記下方部材（１４）の上面から上方に突出する台座（１８）と、一対の左右上下の台座（１６，１８）を相互に接続してＶ字状を形成するようにした補強部材（２０）とから成ることを特徴とする鉄柱および梁の骨組みの連結構造。
【考案の詳細な説明】
【技術分野】
【０００１】  この考案は鉄柱および梁の骨組みの連結構造、より詳しく述べると所定の長さの鉄柱や鉄製の梁等を連結して所望の長さに連結するための構造に関する。
【背景技術】
【０００２】  通常、鉄柱および鉄製の梁部材など、（以下、「鉄棒材」という）を構成する骨組みは、相互に平行に配置する鉄棒材を、同じく鉄製の補強材として、例えば鉄材を「Ｖ字状」に構成するようにして接続して長尺の骨組みにしている。【０００３】  しかしながら、この長尺の骨組み部材を、特に、例えば、遠隔の建築の工事現場等にまで運搬するときなどには、その操作および取り扱いに困惑することが少なくないという欠点があった。【０００４】  また、前述の鉄製の棒材を所望の長さに延長するためには、短尺の鉄製の板部材を接続しようとする鉄製の棒材の隣接する端部にボルト締め、あるいは溶接して接続していることも周知のことである。【０００５】  ところが、このような接続手段では、その接続する部分に、前述した「補強材」が存在しないために、骨組みに関する強度等について、力学的な面から考慮すると極めて大きな問題がある。【０００６】  ところで、通常、前述のような鉄柱や梁を連結材を用いて、ボルト締めすることについての周知の技術としては、次に挙げるような特許文献が存在する。
【特許文献１】  特開平８−６８１１９号公報
【特許文献２】  特公平６−６３３８２号公報
【特許文献３】  特公平２−３７４８６号公報
【考案の開示】
【考案が解決しようとする課題】
【０００７】  この考案が解決しようとする問題点は、前記鉄棒材の連結部分に、力学的な支障が無く、しかも、その連結が極めて容易な鉄柱および梁の骨組みの連結構造を提供することを最も主要な課題とする。【０００８】  さらに、この考案が解決しようとする問題点は、従来の長尺の鉄棒材の骨組みによれば、これを工事する場所、あるいは建築の現場に届けるまでの運送において、またその現場における取り扱いにおいて不便であり、多くのスペースを必要とするという欠点を除去することにある。
【考案の効果】
【０００９】  この考案の鉄柱および梁の骨組みの連結構造は、その形状および構造、または使用法等が、すべて簡単であって、鉄材の柱あるいは梁の隣接する端部に、この考案の連結構造を配置して、その構造の両端を、それぞれボルト締め、あるいは溶接等の周知の接続手段によって、一体になるように接着固定することにより、力学的に優れた強度の長尺の柱あるいは梁を構成することができるという、操作が極めて簡単であって、取り扱いも簡便であり、そのサイズも小さく、遠隔の工事現場等に問題なく輸送することができる等、極めて優秀な効果を有するものである。
【考案を実施するための最良の形態】
【００１０】  この考案の鉄柱および梁の骨組みの連結構造の好ましい実施態様を添付図面について説明するが、この考案の鉄柱および梁の骨組みの連結構造部材を説明するに当たって、骨組み部材である鉄柱の場合も、鉄製の梁部材の場合も、この考案の連結部材の使用方法は全く同一であって、鉄柱に適用する場合には縦方向に、鉄製の梁部材を接続するときには横方向に、いずれも鉄柱あるいは鉄製の梁の長手伸長方向に配置して、接続しようとする鉄材を接続するのであるから、説明を簡単にするために、以下、鉄製の梁部材を接続する場合について説明する。
【実施例１】
【００１１】  図１は、この考案の第一の実施態様を示すもので、連結構造１０の正面図である。図１に示すように、この考案の連結構造１０は、上下２本の梁部材Ａ１とＢ１とから成り、その梁部材Ａ１とＢ１とを補強するために、前記上下の梁部材Ａ１とＢ１との互いに対向する内側面に斜め方向に伸長してＶ字型を形成する補強部材Ｓとから成る通常の（左側の）骨組み部材に、同一構造の（右側の）梁部材Ａ２とＢ２とを連結することによって、所望の長さの梁を構成することができる。【００１２】  連結構造１０は左右上方の梁部材Ａ１とＡ２とに接続する上方部材１２と、左右下方の梁部材Ｂ１とＢ２とに接続する下方部材１４とを具備する。上方部材１２の両端の下面には下方突出台座１６が形成してあり、下方部材１４の両端の上面にも、同様な上方突出台座１８が形成してあり、上下の台座１６，１８は補強部材２０で梁部材の補強部材Ｓと同様にＶ字状を形成するようにしてある。
【産業上の利用可能性】
【００１３】  この考案の連結構造１０は、以上に述べた通り、上方部材１２および下方部材１４を、いずれも短尺のものとすることができるので、輸送その他の取り扱いにおいて特に問題とすることがない。【００１４】  また、骨組みの連結構造１０は、その取り付けの手段が頗る簡単であるのと同様に、建造物を撤去する場合に取り外すとき、ボルト締めした部分は、ボルトを抜くだけでよく、溶接した場合には、溶接部分を適宜な手段で切断すれば足りるので、連結構造１０のみならず、左右上下の梁部材あるいは柱部材等を解体し、輸送する等にも極めて有効である。
【図面の簡単な説明】
【００１５】
【図１】この考案の鉄柱および梁の骨組み構造を示す正面図である。
【符号の説明】
【００１６】    １０  連結構造
１２  上方部材
１４  下方部材
１６  下方突出台座
１８  上方突出台座
２０  補強部材
Ａ１  上方左梁部材
Ａ２  上方右梁部材
Ｂ１  下方左梁部材
Ｂ２  下方右梁部材
Ｓ    補強部材
【図１】
0003113596.tif 000003
(57)【要約】      （修正有）【課題】パイプの中央に補強材を同時に連続鋳造、溶接構造、押し出し成型により形成した軽量強化連結パイプの提供。【解決手段】連続鋳造、溶接構造、押し出し成型により、金属軽合金合成樹脂を原料とし、丸パイプ中央に＋（プラス）、角パイプの角に形状の補強材を施した軽量強化連結パイプ。【選択図】図１
0003113597.tif 000002
【実用新案登録請求の範囲】
【請求項１】
丸パイプ中央に＋（プラス）形状の補強材が入った軽量強化連結パイプ
【請求項２】
角パイプ中央に＋（プラス）形状の補強材が入った軽量強化連結パイプ
【請求項３】
角パイプの角に＋（プラス）形状の補強材が入った軽量強化連結パイプ
【考案の詳細な説明】
【考案の詳細な説明】
【技術分野】
【０００１】本考案は、連続鋳造、溶接構造、押し出し成型により、金属軽合金合成樹脂を原料とし、丸パイプ中央に＋（プラス）、角パイプ中央＋（プラス）、角パイプの角に形状の補強材を、施した軽量強化連結パイプである。
【背景技術】
【０００２】従来、パイプは外径及び肉厚により強度を出していたため、軽量化及び連結することが不可能であった。
【考案が解決しようとする課題】
【０００３】本考案は、構造物等において高強度及び軽量化を可能にし、かつ設計の範囲を広げたパイプで、パイプの中央に補強材を同時に連続鋳造、溶接構造、押し出し成型により形成したものである。
【０００４】鋼管構造の場合は溶接面積を多くしたパイプの連結が可能である。
自身出願済み（平成１４年１２月１６日提出、特願２００２−３８３４００）との溶接連結に強度を発揮する。
【考案の効果】
このような形状にすれば断面係数が上がり、曲がり及び衝撃に強くかつ柔軟で軽量である。また従来のパイプに比べ強度的に有利で有る為、外径を小さく出来るので設計の自由度が広がると思われる。
連結構造のため多品種の支柱に使用できる。
軽量のため構造物生産、物流においてもコストダウンが期待できる。
【図面の簡単な説明】
【図１】パイプの等角投影図
【図２】パイプの正面図及び背面図
【図３】パイプの側面図
【図１】
0003113597.tif 000003
0003113597.tif 000004
0003113597.tif 000005
【図２】
0003113597.tif 000006
0003113597.tif 000007
0003113597.tif 000008
【図３】
0003113597.tif 000009
0003113597.tif 000010
0003113597.tif 000011